(57)【要約】【課題】主フィルター表面へのダメージを軽減することで、信頼性の高い除塵構成を安価に実現できる電気掃除機を提供する。【解決手段】集塵箱２８内に波形フィルターを構成した円筒形の主フィルター８を回転自在に設け、主フィルターの回転によってこれを加振する打撃体３７を備え、打撃体３７をねじりコイルバネ３２と回転ローラー３３で構成し、主フィルター８の表面を直接に打撃した場合にも、主フィルター８表面の破れを防止することが可能となる。【選択図】図５
2008206739.tif 000002
【特許請求の範囲】
【請求項１】
側面に波形フィルターを構成した円筒形の主フィルターと、前記主フィルターを回動自在に保持する軸受部を有した蓋体と、前記波形フィルターに接する打撃体とを備え、前記打撃体を弾性体とその先端に取り付けた回転自在の打撃子で構成し、前記主フィルターが回動することにより前記波形フィルターの波部に前記打撃子が押圧されて前記弾性体がたわみ、波部の頂点を乗り越えて前記弾性体が元に戻る際に次の波部に衝突することにより前記打撃子が波形フィルターを加振すること特徴とした電気掃除機。
【請求項２】
主フィルターを軸受部に対して着脱自在に構成したことを特徴とする請求項１に記載の電気掃除機。
【請求項３】
打撃体は、打撃子を弾性体の付勢に抗して波形フィルターの波部から引き離す為の操作部を有することを特徴とする請求項１または２に記載の電気掃除機。
【請求項４】
弾性体を両端から延出される２つの腕を持ったねじりコイルバネで構成し、前記ねじりコイルバネの２つの腕で回転ローラーを回転自在に挟持した請求項１または２記載の電気掃除機。
【請求項５】
打撃体は、ねじりコイルバネの少なくとも片方の腕を覆うカバー体を有し、打撃子を弾性体の付勢に抗して波形フィルターの波部から引き離す為の操作部を前記カバー体より延出して構成した請求項４記載の電気掃除機。
【発明の詳細な説明】
【技術分野】
【０００１】
本発明は、電気掃除機に関するもので、特に回転する主フィルターの除塵の構成に関するものである。
【背景技術】
【０００２】
従来の縦型掃除機では、集塵室とフィルター室を有した集塵箱と、フィルター室内に回転自在に設けた円筒波形の主フィルターと、主フィルターを回転させる駆動手段と、駆動手段を保持する軸受部を有した蓋体に取り付けられ、主フィルターの回転によってこれを加振する打撃体と、主フィルターの外周を覆い、集塵室とフィルター室を仕切り、主フィルターと連動して回転するように設けた１次フィルターを備え、打撃体を板バネで形成し、この板バネ先端の主フィルターとの当接部は、板バネに巻き加工が施されていた（例えば、特許文献１参照）。
【特許文献１】実開昭５２−５３１７４号公報
【発明の開示】
【発明が解決しようとする課題】
【０００３】
しかし、従来の電気掃除機の集塵箱の構成では、打撃体が板バネで形成されているので、主フィルターの表面と打撃体との間で摺動による摩耗が発生し、主フィルターの表面に破れ等の不具合が発生し易かった。対策として、打撃体が当接する主フィルターの摺動部の補強を図るため、２材質成型等により硬質材料で摺動部を形成する必要があり、コストを要していた。
【０００４】
本発明は、前記従来の課題を解決するもので、特に主フィルターの除塵を打撃体で行う構成において、フィルターの耐久性を確保し、信頼性を向上した電気掃除機を提供することを目的とする。
【課題を解決するための手段】
【０００５】
前記従来の課題を解決するために、本発明の電気掃除機は、側面に波形フィルターを構成した円筒形の主フィルターと、前記主フィルターを回動自在に保持する軸受部を有した蓋体と、前記波形フィルターに接する打撃体とを備え、前記打撃体を弾性体とその先端に取り付けた回転自在の打撃子で構成し、前記主フィルターが回動することにより前記波形フィルターの波部に前記打撃子が押圧されて前記弾性体がたわみ、波部の頂点を乗り越えて前記弾性体が元に戻る際に次の波部に衝突することにより前記打撃子が波形フィルターを加振すること特徴とするもので、主フィルターの表面を直接に打撃した場合にも、打撃子を回転自在とすることで、主フィルター表面へのダメージが低減し、破れを防止することが可能となると共に、打撃子の材質として、テフロン（登録商標）等の表面を傷付け難いが磨耗しやすいような材質も選択可能となる。さらに、主フィルターを直接に打撃可能となることで、主フィルターに堆積した塵埃の除塵効率も向上すると共に、２材質成形による被打撃部の形成も不要となり、通気面積の拡大による性能の向上と目詰まりの低減を安価に実現することが可能となる。
【発明の効果】
【０００６】
本発明の電気掃除機は、回転する主フィルターの除塵のための打撃子を回転可能に構成することで、主フィルター表面へのダメージを軽減することが可能となり、信頼性の高い除塵構成を安価に実現できる。
【発明を実施するための最良の形態】
【０００７】
第１の発明は、側面に波形フィルターを構成した円筒形の主フィルターと、前記主フィルターを回動自在に保持する軸受部を有した蓋体と、前記波形フィルターに接する打撃体とを備え、前記打撃体を弾性体とその先端に取り付けた回転自在の打撃子で構成し、前記主フィルターが回動することにより前記波形フィルターの波部に前記打撃子が押圧されて前記弾性体がたわみ、波部の頂点を乗り越えて前記弾性体が元に戻る際に次の波部に衝突することにより前記打撃子が波形フィルターを加振すること特徴とするもので、主フィルターの表面を直接に打撃した場合にも、打撃子を回転自在とすることで、主フィルター表面へのダメージが低減し、破れを防止することが可能となると共に、打撃子の材質として、テフロン（登録商標）等の表面を傷付け難いが磨耗しやすいような材質も選択可能となる。さらに、主フィルターを直接に打撃可能となることで、主フィルターに堆積した塵埃の除塵効率も向上すると共に、２材質成形による被打撃部の形成も不要となり、通気面積の拡大による性能の向上と目詰まりの低減を安価に実現することが可能となる。
【０００８】
第２の発明は、特に第１の発明の主フィルターを軸受部に対して着脱自在に構成したことを特徴とするもので、比較的安価かつ簡単な構成で主フィルターの着脱ができ、主フィルターのメンテナンス性を向上することが可能となると共に、主フィルターを離脱した場合にも駆動手段がバラバラになることはなく、着脱時のトラブルを避けることも可能となる。
【０００９】
第３の発明は、特に第１または２の発明の弾性体において、打撃子を弾性体の付勢に抗して波形フィルターの波部から引き離す為の操作部を有するようにしたもので、主フィルターを着脱する場合、打撃子と主フィルターとの当りのない状態で主フィルターの着脱が可能となり、主フィルター清掃時の着脱性を向上することができる。
【００１０】
第４の発明は、特に第１または２の発明の弾性体を両端から延出される２つの腕を持ったねじりコイルバネで構成し、前記ねじりコイルバネの２つの腕で回転ローラーを回転自在に挟持したもので、別部品の追加なく、回転ローラーを安価かつ簡単に回転自在に保持可能となる。
【００１１】
第５の発明は、打撃体は、ねじりコイルバネの少なくとも片方の腕を覆うカバー体を有し、打撃子を弾性体の付勢に抗して波形フィルターの波部から引き離す為の操作部を前記カバー体より延出して構成したもので、主フィルター着脱時の主フィルターと打撃体の当り等で発生する衝撃によりねじりコイルバネの腕が開こうとする動きを低減でき、打撃子の外れをも防止することが可能となる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における電気掃除機本体の全体斜視図で、図２は、同電気掃除機の集塵箱ユニットの分解斜視図、図３は、同電気掃除機の集塵箱の内部斜視図、図４は、同電気掃除機の集塵箱ユニットの要部断面図、図５は、同電気掃除機の蓋フィルターユニットの要部斜視図、図６は、打撃体の要部側面、図７は、同電気掃除機の蓋フィルターユニットの要部斜視図である。
【００１４】
図において、１は電気掃除機本体で、モーター（図示せず）を内蔵し、ホース（図示せず）との接続部２及び排気部３を有する本体部４と、集塵室５とフィルター室６を有し、本体部４に着脱自在に保持される集塵箱ユニット７が設けられており、電気掃除機本体１は、接続部２に接続されるホース（図示せず）を介して、延長管（図示せず）、床ノズル（図示せず）に接続される。
【００１５】
また、主フィルター８は、円筒状に形成した波形フィルター９をフィルターカバー前１０と、パッキンａ１１が一体に成形されたフィルターカバー後１２で挟持、接着固定されて構成されている。
【００１６】
また、軸受部１３、パッキンｂ１４、パッキンｃ１５を有した蓋体１６は、第１ネジ部１７を有したフィルター軸前１８とハンドル部１９を有したフィルター軸後２０でわずかなガタを持たせて挟持後、ビス２１で締結され、蓋ユニット２２を形成している。
【００１７】
また、主フィルター８の前方は、パッキンｄ２３、メッシュフィルター２４を有した１次フィルター２５で覆われ、主フィルター８と１次フィルター２５は、フィルター軸前１８に貫通後保持され、操作ツマミを有し、第２ネジ部２６を有した締結体２７で締結保持されている。
【００１８】
ここで、集塵箱ユニット７は、集塵箱２８と蓋ユニット２２に主フィルター８、１次フィルター２５が締結体２７で締結された蓋フィルターユニット２９で構成される。
【００１９】
また、集塵箱２８は、集塵室５、フィルター室６、１次フィルター２５のパッキンｄ２３との回転タイト面３０及び蓋ユニット２２のパッキンｂ１４との固定タイト面３１を有している。
【００２０】
次に、蓋ユニット２２には、図５に示すように、主フィルター８に付着した塵埃を除去するための打撃体３７が配置されている。打撃体３７は、図６に示すように、弾性体としてねじりコイルバネ３２、主フィルター８の打撃子として回転ローラー３３を有し、回転ローラー３３はねじりコイルバネ３２の腕３４で両側から回転可能なように挟持され、ねじりコイルバネ３２は、蓋ユニット２２から突出するネジボス部３５に貫通させた後、操作部３６ａを有したカバー体３６で覆われ、ビス３５ａにて回動自在に保持されている。
【００２１】
ここで、カバー体３６は、ねじりコイルバネ３２の腕３４の根本部分を保持する保持部３６ｂを一体に備えている。
【００２２】
また、図５に示すように、１次フィルター２５は、外周を形成する外周フレーム２５ａと、締結体２７でフィルター軸前１８に締結される中央フレーム２５ｂと、外周フレーム２５ａから中央フレームに向けて略円弧状に伸びる複数の枝フレーム２５ｃと、外周フレーム２５ａと中央フレーム２５ｂと枝フレーム２５ｃで形成された開口部を覆うメッシュフィルター２４が一体に形成されている。そして、枝フレーム２５ｃには複数のリブ２５ｄがフィルターカバー前１０に向けて凸状に形成されており、フィルターカバー前１０には、リブ２５ｄに対応して支持部３８が形成されている。
【００２３】
なお、本実施の形態においてはリブ２５ｄを９０°間隔で、４個形成している。
【００２４】
図７において、蓋体１６は、１次フィルター２５の主フィルター８側外周近傍とはわずかに隙間をもった円弧状の支持体３９を有している。
【００２５】
上記構成を備えた電気掃除機の動作、作用は以下の通りである。
【００２６】
床ノズル（図示せず）から吸引された塵埃は、延長管（図示せず）、ホース（図示せず）を介して集塵室５へ到達し、粗塵が分離された後、細塵を含んだ気流は、メッシュフィルター２４を通過し、フィルター室６に到達し、細塵が分離された後、綺麗になった気流は、排気部３より電気掃除機本体１の外部へ放出される。
【００２７】
また、主フィルター８に堆積した細塵は、フィルター軸後２０のハンドル部１９を手動で回転させることにより主フィルター８が１次フィルター２５と連動しながら回転する際に、回転ローラー３３が回転しながら主フィルター８を打撃することで、除塵される。
【００２８】
また、長時間の使用により主フィルター８に多量の細塵が堆積してしまった場合などは、締結体２７の操作ツマミを持って緩めて外し、１次フィルター２５を外した後、カバー体３６の操作部３６ａを持って打撃体３７を主フィルター８から引き離しながら主フィルター８を蓋ユニット２２から離脱し清掃することが可能となっている。
【００２９】
また、集塵室５内の下方から圧縮されるように塵埃が堆積し、１次フィルター２５の外周近傍が主フィルター８側に力が加わった場合、１次フィルター２５に設けたリブ２５ｄとフィルターカバー前１０の支持部３８とが当接し、かつ、１次フィルター２５の外周近傍は、蓋体１６の支持体３９で支持されることで、比較的強度のない１次フィルター２５の変形を防止することが出来、１次フィルター２５のパッキンｄ２３と集塵箱２８の回転タイト面３０とのシールを維持することが可能となり、粗塵が集塵室５からフィルター室６へ漏れないようになっている。
【００３０】
このように、本実施の形態によれば、主フィルター８の打撃子を回転ローラー３３としている為に、主フィルター８の表面を摺動することはないので、主フィルター８表面の摩耗によるダメージが低減し、破れを防止することが可能となると共に、打撃子の材質として、テフロン（登録商標）等の表面を傷付け難いが磨耗しやすいような材質も選択可能となる。
【００３１】
さらに、主フィルター８を直接に打撃可能となることで、主フィルター８に堆積した塵埃の除塵効率も向上すると共に、２材質成形により被打撃部の強度を確保するようなことも不要となるので、その分通気面積を拡大することができ、性能の向上と目詰まりの低減を安価に実現することが可能となる。
【００３２】
また、ねじりコイルバネ３２の２つの腕で回転ローラー３３を回転自在に挟持しているので、別部品の追加なく、回転ローラー３３を安価かつ簡単に回転自在に保持可能となる。
【００３３】
また、カバー体３６の操作部３６ａを手動にて操作することでねじりコイルバネ３２の腕３４と回転ローラー３３を主フィルター８から引き離し可能としているので、主フィルター８を着脱する場合、主フィルター８の波部と回転ローラー３３との当りのない状態で主フィルター８の着脱が容易となり、主フィルター８清掃時の主フィルター８の着脱性を向上することが可能となる。
【００３４】
また、カバー体３６をねじりコイルバネ３２の腕３４の根本を保持するように構成しているので、主フィルター８着脱時、主フィルター８がねじりコイルバネ３２の腕３４と回転ローラー３３に当ることで発生する衝撃による回転ローラー３３の外れをも防止することが可能となる。
【００３５】
また、フィルター軸前１８とフィルター軸後２０を蓋体１６に回転可能なように取り付けユニット化することで、主フィルター８の着脱が比較的安価かつ簡単な構成で可能となると共に、主フィルター８の離脱時、主フィルター８の駆動手段がバラバラになることはなく、着脱時のトラブルを避けることも可能となる。
【００３６】
また、締結体２７で主フィルター８と１次フィルター２５を共締め、共緩めすることで両部品が同時に着脱可能となるので、比較的安価かつ簡単な構成で外形の大きな主フィルター８や１次フィルター２５でも着脱ができ、主フィルター８及び１次フィルター２５の着脱性を向上することが可能となる。
【００３７】
更に、１次フィルター２５とフィルターカバー前１０との支持部３８及び蓋体１６の支持体３９で１次フィルターのフィルター室６側外周近傍を当接支持するもので、集塵室５内の下方から圧縮されるように塵埃が堆積し、１次フィルター２５の外周近傍が主フィルター８側に撓もうとした場合にも、１次フィルター２５のパッキンｄ２３と集塵箱２８の回転タイト面３０との間から粗塵が集塵室５からフィルター室６へ漏れてしまうことを防止可能と共に、径大の１次フィルター２５を回転させる場合には、中央の回転軸に加え、１次フィルター２５とフィルターカバー前１０との十字状の支持部３８でも回転力を伝達することが可能となり、１次フィルター２５の回転ブレから発生するパッキンｄ２３と回転タイト面３０との間からの粗塵通過を低減出来るだけでなく、１次フィルター２５の回転操作力をも低減することが可能となる。
【産業上の利用可能性】
【００３８】
以上のように、本発明にかかる電気掃除機は、特に回転する主フィルター、１次フィルターや打撃体を有する集塵箱の信頼性を向上することが出来るものであり、各種集塵箱の構成に適用できるものである。
【図面の簡単な説明】
【００３９】
【図１】本発明の第１の実施の形態における電気掃除機の全体斜視図
【図２】同電気掃除機の集塵箱ユニットの分解斜視図
【図３】同電気掃除機の集塵箱の内部斜視図
【図４】同電気掃除機の集塵箱ユニットの要部断面図
【図５】同電気掃除機の蓋フィルターユニットの要部斜視図
【図６】同電気掃除機の打撃体の側面図
【図７】同電気掃除機の蓋フィルターユニットの要部斜視図
【符号の説明】
【００４０】
１      電気掃除機本体
８      主フィルター
１３    軸受部
１６    蓋体
３２    ねじりコイルバネ（弾性体）
３３    回転ローラー（打撃子）
３４    腕
３６    カバー体
３６ａ  操作部
３７    打撃体
【図１】
2008206739.tif 000003
【図２】
2008206739.tif 000004
【図３】
2008206739.tif 000005
【図４】
2008206739.tif 000006
【図５】
2008206739.tif 000007
【図６】
2008206739.tif 000008
【図７】
2008206739.tif 000009